(57)【要約】【課題】  使用者の指先を傷めることなく、バイアルのキャップを容易に且つ確実に外すことができるバイアルキャップ外し具の提供を課題とする。【解決手段】  板状部材２１，２２は略平行になるように配設されている。スペーサ２３，２４によって板状部材２１，２２の間隔は、バイアルのキャップ５の厚み以上の値に保たれている。板状部材２１には、略台形の形状の開口部２５が穿設されている。略台形の形状の開口部２５の下底の長さはキャップ５の外径よりも大きい値に選ばれており、上底の長さはキャップ５の内径よりも小さい値に選ばれている。【選択図】  図１１
0003174735.tif 000002
【実用新案登録請求の範囲】
【請求項１】
薬液や薬剤が密封されているバイアルの口金に冠着しているキャップを外すバイアルキャップ外し具であって、
前記キャップの平面部の全面を載置可能な断面を有する棒状体からなり、該棒状体の一端側の端面は平面に形成され、
当該平面に形成された端面の周囲の一部には該周囲に沿うように前記端面から所定長だけ立ち上がるガイド壁部が形成され、
該ガイド壁部の中央の上端部には、前記端面の上部側に当該端面と平行に張り出すように延在する係合片が配設され、
前記ガイド壁部の前記所定長は前記キャップの厚み以上の値に運ばれ、
前記ガイド壁部の上端部の中央から前記端面と平行に張り出すように延在している前記係合片の端部の中央までの距離は、前記キャップの外径と内径との差以上の距離に選ばれていることを特徴とするバイアルキャップ外し具。
【請求項２】
前記係合片の前記端部の中央には、円弧状の切り欠き部が形成され、当該切り欠き部の中央と前記ガイド壁部の上端部の中央との距離は、前記キャップの外径と内径との差以上の距離に選ばれていることを特徴とする請求項１に記載のバイアルキャップ外し具。
【請求項３】
前記棒状体の前記平面に形成された端面とは反対側の端面には、前記棒状体の長さ方向に延在する板状の握手部が配設されていることを特徴とする請求項１または請求項２に記載のバイアルキャップ外し具。
【請求項４】
薬液が密封されているバイアルの口金に冠着しているキャップを外すバイアルキャップ外し具であって、
前記キャップの平面部の外径よりも広い幅を有する２枚の板状部材と、当該２枚板状部材の両端部のそれぞれに挟持されるように配設された２つのスペーサによって構成され、
当該２つのスペーサによって形成される前記２枚の板状部材の間隔は、前記キャップの厚み以上の値に選ばれ、
前記２枚の板状部材の一方の前記板状部材には、略台形の形状の開口部が、当該板状部材の長さ方向の端部側にその上底と下底とがそれぞれ位置するように穿設され、
前記下底の長さは前記キャップの外径よりも大きい値に選ばれ、前記上底の長さは前記キャップの内径よりも小さい値に選ばれていることを特徴とするバイアルキャップ外し具。
【請求項５】
前記２枚の板状部材の間隔は、前記開口部の形状である略台形の下底側では広く、上底側では狭くなるように形成されていることを特徴とする請求項３に記載のバイアルキャップ外し具。
【請求項６】
薬液が密封されているバイアルの口金に冠着しているキャップを外すバイアルキャップ外し具であって、
互いの平面が略平行に対向するようにそれぞれの一端側が連結部によって結合された２枚の板状部材であって、その幅が前記キャップの平面部の外径よりも広い２枚の板状部材によって構成され、
当該２枚の板状部材間の間隔は、前記キャップの厚み以上の値に選ばれ、
前記２枚の板状部材の一方の前記板状部材には、略台形の形状の開口部が、当該板状部材の長さ方向の端部側にその上底と下底とがそれぞれ位置するように穿設され、
前記下底の長さは前記キャップの外径よりも大きい値に選ばれ、前記上底の長さは前記キャップの内径よりも小さい値に選ばれていることを特徴とするバイアルキャップ外し具。
【請求項７】
前記連結部は、前記２枚の板状部材のそれぞれの一端側によって挟持されるように配設されたスペーサによって構成されていることを特徴とする請求項６に記載のバイアルキャップ外し具。
【請求項８】
前記スペーサは、前記２枚の板状部材と一体的に形成されていることを特徴とする請求項７に記載のバイアルキャップ外し具。
【請求項９】
前記２枚の板状部材は、当該２枚の板状部材が連続して形成されている１枚の板状部材を折り曲げることによって形成されており、前記連結部は、当該折り曲げ部によって構成されていることを特徴とする請求項６に記載のバイアルキャップ外し具。
【請求項１０】
前記２枚の板状部材の間隔は、前記開口部の形状である略台形の下底側では広く、上底側では狭くなるように形成されていることを特徴とする請求項６ないし請求項９のいずれかの項に記載のバイアルキャップ外し具。
【考案の詳細な説明】
【技術分野】
【０００１】
本考案は、注射液等の薬液や薬剤を収納するバイアルに冠着しているキャップを外すバイアルキャップ外し具に関するものである。
【背景技術】
【０００２】
現在、薬液や薬剤等の収納容器としてバイアルが広く用いられている。
【０００３】
図１７（ａ）は、注射用の薬液が密封されているバイアルの構成を示した図である。
【０００４】
図１７（ａ）において、１は薬液２を収納する瓶本体であり、その瓶口はゴム栓３により密閉されており、このゴム栓３は口金４によって封止されている。５はゴム栓３の上面を密閉状態に保つための樹脂製のキャップである。
【０００５】
このキャップ５の裏面側には、図１７（ｂ）に示すように口金４の開口部４ａの周辺部と係合する係止環５ａが形成されており、図１７（ａ）に示す保管状態においては、キャップ５は口金４に冠着した状態で口金４に係止され、ゴム栓３の上面を保護する。
【０００６】
収納されている薬液２の使用に際しては、図１８（ａ）に示すように、使用者は先ず一方の手Ｈ１でバイアルの瓶本体１を掴み、他方の手Ｈ２の指先をキャップ５の下端面部に引っ掛けて、キャップ５を口金４から剥離させるように移動させてキャップ５を口金４から外す。
【０００７】
次に使用者は、図１８（ｂ）に示すように、口金５の開口部４ａから露出しているゴム栓３の上面に、注射器Ｐの注射針Ｎを刺して、薬液２を注射器Ｐ内に適量移動させて、これを使用する。
【考案の概要】
【考案が解決しようとする課題】
【０００８】
以上説明したように、従来は薬液２の使用に際して、使用者は自らの指を用いてバイアルのキャップを外していた。
【０００９】
しかしながら、病院等ではバイアルのキャップ外し作業も多く、バイアルの種類によっては外しにくいキャップもあり、このような外しにくいキャップを従来の方法で外す場合には使用者が指を傷めやすいという問題があった。例えば、インフルエンザ予防ワクチンの注射液を収納してあるバイアルのように瓶本体１が小さいバイアルの場合には、キャップ５もその外径Ａが小さく且つその下端面の肉厚（図１７（ｂ）に示す外径Ａと内径Ｂとの差）も薄いので、キャップ５を口金４から外すことが困難となり、従って使用者が指を傷めやすかった。さらに、インフルエンザ予防ワクチンの集団接種等の際には、短時間のうちに多数のバイアルのキャップを外す必要が生じ、それだけ使用者が指を傷めてしまう可能性が高くなり、使用者が指を傷めてしまったときには医療行為自体に支障を来たしてしまうという問題も生じてしまう。
【課題を解決するための手段】
【００１０】
以上の問題を解消するために、本考案の第１の手段は、薬液や薬剤が密封されているバイアルの口金に冠着しているキャップを外すバイアルキャップ外し具であって、前記キャップの平面部の全面を載置可能な断面を有する棒状体からなり、該棒状体の一端側の端面は平面に形成され、当該平面に形成された端面の周囲の一部には該周囲に沿うように前記端面から所定長だけ立ち上がるガイド壁部が形成され、該ガイド壁部の中央の上端部には、前記端面の上部側に当該端面と平行に張り出すように延在する係合片が配設され、前記ガイド壁部の前記所定長は前記キャップの厚み以上の値に運ばれ、前記ガイド壁部の上端部の中央から前記端面と平行に張り出すように延在している前記係合片の端部の中央までの距離は、前記キャップの外径と内径との差以上の距離に選ばれていることを特徴とするものである。ここで、前記係合片の前記端部の中央には、円弧状の切り欠き部が形成され、当該切り欠き部の中央と前記ガイド壁部の上端部の中央との距離は、前記キャップの外径と内径との差以上の距離に選ばれていてもよい。さらに、前記棒状体の前記平面に形成された端面とは反対側の端面には、前記棒状体の長さ方向に延在する板状の握手部が配設されていてもよい。
【００１１】
また、以上の問題点を解消するために、本考案の第２の手段は、薬液が密封されているバイアルの口金に冠着しているキャップを外すバイアルキャップ外し具であって、前記キャップの平面部の外径よりも広い幅を有する２枚の板状部材と、当該２枚板状部材の両端部のそれぞれに挟持されるように配設された２つのスペーサによって構成され、当該２つのスペーサによって形成される前記２枚の板状部材の間隔は、前記キャップの厚み以上の値に選ばれ、前記２枚の板状部材の一方の前記板状部材には、略台形の形状の開口部が、当該板状部材の長さ方向の端部側にその上底と下底とがそれぞれ位置するように穿設され、前記下底の長さは前記キャップの外径よりも大きい値に選ばれ、前記上底の長さは前記キャップの内径よりも小さい値に選ばれていることを特徴とするものである。ここで、前記２枚の板状部材の間隔は、前記開口部の形状である略台形の下底側では広く、上底側では狭くなるように形成されていてもよい。
【００１２】
また、以上の問題点を解消するために、本考案の第３の手段は、薬液が密封されているバイアルの口金に冠着しているキャップを外すバイアルキャップ外し具であって、互いの平面が略平行に対向するようにそれぞれの一端側が連結部によって結合された２枚の板状部材であって、その幅が前記キャップの平面部の外径よりも広い２枚の板状部材によって構成され、当該２枚の板状部材間の間隔は、前記キャップの厚み以上の値に選ばれ、前記２枚の板状部材の一方の前記板状部材には、略台形の形状の開口部が、当該板状部材の長さ方向の端部側にその上底と下底とがそれぞれ位置するように穿設され、前記下底の長さは前記キャップの外径よりも大きい値に選ばれ、前記上底の長さは前記キャップの内径よりも小さい値に選ばれていることを特徴とするものである。ここで、前記連結部は、前記２枚の板状部材のそれぞれの一端側によって挟持されるように配設されたスペーサによって構成されていてもよいし、さらに、前記スペーサは、前記２枚の板状部材と一体的に形成されていてもよい。あるいは、前記２枚の板状部材は、当該２枚の板状部材が連続して形成されている１枚の板状部材を折り曲げることによって形成されており、前記連結部は、当該折り曲げ部によって構成されていてもよい。以上の手段においては、前記２枚の板状部材の間隔は、前記開口部の形状である略台形の下底側では広く、上底側では狭くなるように形成されていてもよい。
【考案の効果】
【００１３】
本考案によれば、使用者の指先を傷めることなく、バイアルのキャップを容易に且つ確実に外すことができるバイアルキャップ外し具を提供することができる。
【図面の簡単な説明】
【００１４】
【図１】本考案の実施例１の構成を示す構成図である。
【図２】本考案の実施例１の動作の説明図である。
【図３】本考案の実施例１の動作の説明図である。
【図４】本考案の実施例１の動作の説明図である。
【図５】本考案の実施例１の動作の説明図である。
【図６】本考案の実施例１の動作の説明図である。
【図７】本考案の実施例１の動作の説明図である。
【図８】本考案の実施例１の構成の説明図である。
【図９】本考案の実施例２の構成を示す構成図である。
【図１０】本考案の実施例２の構成を示す構成図である。
【図１１】本考案の実施例２の動作の説明図である。
【図１２】本考案の実施例２の動作の説明図である。
【図１３】本考案の実施例２の構成の説明図である。
【図１４】本考案の実施例２の動作の説明図である。
【図１５】本考案の実施例２の構成の説明図である。
【図１６】本考案の実施例２の構成の説明図である。
【図１７】バイアルの構成の説明図である。
【図１８】従来のバイアルの使用方法の説明図である。
【考案を実施するための形態】
【００１５】
以下、本考案の実施例を図を用いて詳しく説明する。
【実施例１】
【００１６】
図１は本考案の実施例１の構成を示した図で、（ａ）は斜視図、（ｂ）は上方から見た平面図である。
【００１７】
図１（ａ），（ｂ）に示したように、本実施例１に係るバイアルキャップ外し具１０は、棒状体１１、ガイド壁部１３、係合片１４によって構成されている。
【００１８】
棒状体１１は、バイアルのキャップの平面部の全体を載置可能な断面を有する棒状体であり、円柱状に限定されるものではなく四角柱等の多角形の柱状体であってもよい。その棒状体１１の一端側の端面１２は平面に形成されている。この端面１２の周囲の一部には、その周囲に沿って所定長ｈだけ立ち上がるようにガイド壁部１３が形成されている。
【００１９】
ガイド壁部１３の中央の上端部には、端面１２の上部側に端面１２と平行に張り出すように延在する係合片１４が配設されている。
【００２０】
本実施例１においては、係合片１４の中央に円弧状の切り欠き部１５が形成されている。この切り欠き部１５は、キャップの下端面と係合片１４との接触面積を広くする機能と、キャップを外す際にバイアルがずれないように位置決めをする機能とを有している。
【００２１】
ここで、ガイド壁部１３の所定長ｈは、図１７（ｂ）に示すバイアルのキャップ５の厚みＷ以上の値となっている。また、ガイド壁部の上端部の中央から張り出している係合片１４の端部の中央までの距離ｌは、図１７（ｂ）に示すバイアルのキャップ５の外径Ａと内径Ｂとの差以上、すなわちキャップ５の下端面の肉厚以上の値となるような距離に選ばれている。
【００２２】
次に以上のように構成された本実施例１の使用方法について説明する。
【００２３】
先ず、使用者は、図２（ａ）に示したように、バイアルのキャップ５の上面を棒状体１１の端面１２上に載置して、ガイド壁部１３および係合片１５に沿って瓶本体１を移動させて、口金４が係合片１４の切り欠き部１５に当接するように位置決めする。この状態の断面図を図３（ａ）に示す。
【００２４】
図２（ａ）に示した状態から、使用者が係合片１４に口金４を押し付けるようにして瓶本体１を係合片１４とは反対側に傾けて図２（ｂ）の状態にすると、端面１２によって上面側の運動が規制され、係合片１４によって下端面の運動が規制されているキャップ５は口金４から外れる。この状態の断面図を図３（ｂ）に示す。
【００２５】
ここで、ガイド壁部１３の所定長ｈを、現在流通しているバイアルのキャップ５のうち、その厚みＷが最大のキャップの厚み以上の値に選んでおけば、それ以下の厚みＷを有するバイアルのキャップ５も、先に図２，図３を用いて説明したのと同様の操作によって、図４，図５に示すように簡単に外すことができる。さらに、小さなバイアルのキャップ５も同様に図６，図７に示すように本実施例１を用いて簡単に外すことができる。
【００２６】
なお、本実施例１に係るバイアルキャップ外し具１０においては、使用者がバイアルキャップ外し具１０をしっかりと支持することができるように、棒状体１１の端面１２とは反対側の端面に図８に示したように、棒状体１１の長さ方向に延在する板状の握手部１１ａを配設してもよい。
【実施例２】
【００２７】
図９は本考案の実施例２に係るバイアルキャップ外し具２０の構成を示した斜視図であり、図１０（ａ）はその平面図、図１０（ｂ）はその側面図を示したものである。
【００２８】
図９，図１０に示したように本実施例２は、２枚の板状部材２１，２２と、２つのスペーサ２３，２４によって構成されている。
【００２９】
板状部材２１，２２の幅は、図１７（ｂ）に示すバイアルのキャップ５の外径Ａ以上の値となるように選ばれている。また、図１０（ｂ）に示す２枚の板状部材２１，２２の間隔ｗは、図１７（ｂ）に示すバイアルのキャップ５の厚みＷ以上の値となるように選ばれている。
【００３０】
板状部材２１には略台形の形状の開口部２５が穿設されている（本実施例２においては、台形の上底と下底とが円弧状に加工されている）。この略台形の開口部２５は、その上底と下底とのそれぞれが板状部材２１の長さ方向の端部側に位置するように形成されている。また、図１０（ａ）に示す略台形の開口部２５の下底の長さｄは、図１７（ｂ）に示したバイアルのキャップ５の外径Ａよりも大きい値に選ばれ、上底の長さｕは、図１７（ｂ）に示したバイアルのキャップ５の内径Ｂよりも小さい値に選ばれている。
【００３１】
次に、以上のように構成された本実施例２の使用方法について説明する。
【００３２】
先ず、使用者は、図１１（ａ）に示したように、略台形の開口部２５の下底側にバイアルのキャップ５を挿入して、開口部２５の上底側に止まるまで移動させる。開口部２５を形成している板状部材２１に口金４の両側が当接した状態になるとバイアルの移動は止まる。このようなバイアルの移動が規制されている図１１（ｂ）に示した状態において、使用者がバイアルの瓶本体１を開口部２５の下底側に傾けると、図１２（ａ），（ｂ）に示したように、その上面側の運動が板状部材２２によって規制され且つその下端面の運動が板状部材２１によって規制されるキャップ５は口金４から外れる。
【００３３】
ここで、図１２（ａ）は図１１（ｂ）の状態の縦断面図であり、図１２（ｂ）は図１１（ｂ）の状態の横断面図である。
【００３４】
以上説明した本実施例２においては、図１３（ａ）に示したように、略台形の開口部２５の上底の長さｕの値を、現在通流しているバイアルのキャップのうち最小の内径を有するキャップの内径以下の値となるように選び、図１３（ｂ）に示したように、開口部２５の上底側の板状部材２１，２２の間隔ｗ２を下底側の間隔ｗ１に比して狭くなるように構成しておけば、図１４（ａ），（ｂ）に示したように本実施例２を用いて小さなバイアルのキャップ５を外す際の瓶本体１を傾ける移動距離Ｓを小さな移動距離にすることができる。
【００３５】
さらに、以上説明した本実施例２においては、板状部材２１，２２が金属板のように剛性が高い材料によって構成されている場合には、図１５（ａ），（ｂ）に示すようにスペーサを１つだけ配設するように構成してもよい（図１５においてはスペーサ２４）。
【００３６】
図１５に示すような構成とした場合には、この１つのスペーサ２４は、板状部材２１と板状部材２２とを結合する連結部としての機能をも具えるものとなり、このような連結部は、図１６（ａ）に示すように板状部材２１および板状部材２２とが一体的に形成されている構成の連結部２６としてもよい。さらに、図１６（ｂ）に示すように、２枚の板状部材２１，２２は、この２枚の板状部材が連続して形成されている１枚の板状部材を折り曲げることによって構成してもよく、この場合には、その折り曲げ部２７が連結部として機能する。なお、以上のような構成にした場合でも、先に説明したように２枚の板状部材２１，２２の間隔ｗを、略台形の開口部２５の下底側では広く、上底側では狭くなるようにしておけば、小さなバイアルのキャップ５を小さな移動距離Ｓで外すことができる。
【符号の説明】
【００３７】
１  瓶本体
２  薬液
３  ゴム栓
４  口金
４ａ  開口部
５  キャップ
５ａ  係止環
１０，２０  バイアルキャップ外し具
１１  棒状体
１１ａ  握手部
１２  端面
１３  ガイド壁部
１４  係合片
１５  切り欠き部
２１，２２  板状部材
２３，２４  スペーサ
２５  開口部
２６  連結部
２７  折り曲げ部
Ａ  外径
Ｂ  内径
Ｈ１，Ｈ２  手
Ｎ  注射針
Ｐ  注射器
Ｓ  移動距離
Ｗ  厚み
ｄ  下底の長さ
ｈ  所定長
ｌ  距離
ｕ  上底の長さ
ｗ，ｗ１，ｗ２  間隔
【図１】
0003174735.tif 000003
【図２】
0003174735.tif 000004
【図３】
0003174735.tif 000005
【図４】
0003174735.tif 000006
【図５】
0003174735.tif 000007
【図６】
0003174735.tif 000008
【図７】
0003174735.tif 000009
【図８】
0003174735.tif 000010
【図９】
0003174735.tif 000011
【図１０】
0003174735.tif 000012
【図１１】
0003174735.tif 000013
【図１２】
0003174735.tif 000014
【図１３】
0003174735.tif 000015
【図１４】
0003174735.tif 000016
【図１５】
0003174735.tif 000017
【図１６】
0003174735.tif 000018
【図１７】
0003174735.tif 000019
【図１８】
0003174735.tif 000020